(57)【特許請求の範囲】
【請求項１】
広帯域無線接続システムにおいて移動端末によるハンドオーバー動作を実行する方法であって、
前記方法は、
少なくとも１つの周辺基地局のスキャニングがイネーブルされる期間に関する情報をサービス提供基地局から受信することと、
報告周期を示す情報を前記サービス提供基地局から受信することと、
前記受信された情報に基づいて、前記期間の間に前記少なくとも１つの周辺基地局に対してスキャニングおよび同期化を行うことにより、周辺基地局情報を獲得することであって、前記周辺基地局情報は、前記少なくとも１つの周辺基地局の各々に対する基地局ＩＤおよび物理的周波数を含む、ことと、
第１のハンドオーバー要請メッセージを前記サービス提供基地局に転送することであって、前記第１のハンドオーバー要請メッセージは、前記周辺基地局情報を含まない、ことと、
前記第１のハンドオーバー要請メッセージが転送された後に、前記報告周期に従って第２のハンドオーバー要請メッセージを用いることにより、周期的に前記周辺基地局情報を前記サービス提供基地局に転送することであって、前記第２のハンドオーバー要請メッセージは、測定された信号強度が所定の基準以上であるという条件を満たす１つ以上の候補周辺基地局のみの周辺基地局情報を含む、ことと、
前記第１のハンドオーバー要請メッセージおよび前記第２のハンドオーバー要請メッセージが転送された後に、前記ハンドオーバー動作に対する前記１つ以上の候補周辺基地局のうちの推奨目的基地局に関する情報を前記サービス提供基地局から受信することと、
前記推奨目的基地局に関する情報が受信された後に、サービス解除要請メッセージを前記サービス提供基地局に転送することと
を含み、
前記第１のハンドオーバー要請メッセージおよび前記第２のハンドオーバー要請メッセージに対する応答は、前記サービス提供基地局によりなされ、前記応答は、前記第１のハンドオーバー要請メッセージを前記第２のハンドオーバー要請メッセージと区別するために用いられ、
前記推奨目的基地局は、前記サービス提供基地局と前記少なくとも１つの周辺基地局との間で通信されるサービス品質（ＱｏＳ）に関する通信に基づいて、前記サービス提供基地局により決定される、方法。
【発明の詳細な説明】
【技術分野】
【０００１】
本発明は、広帯域無線接続システム（Ｂｒｏａｄｂａｎｄ  Ｗｉｒｅｌｅｓｓ  Ａｃｃｅｓｓ  Ｓｙｓｔｅｍ）に適用可能な技術に関するもので、移動端末が周辺基地局の信号強度及びフレーム情報を獲得し、獲得した情報をサービス提供基地局に転送する方法に関する。
【背景技術】
【０００２】
図１は、移動端末の周辺基地局に関する情報をサービス提供基地局（Ｓｅｒｖｉｎｇ  Ｂａｓｅ  Ｓｔａｔｉｏｎ）に転送する方法の一実施例を示す説明図である。図１を参照すると、移動端末（ＭＳＳ：Ｍｏｂｉｌｅ  Ｓｕｂｓｃｒｉｂｅｒ  Ｓｔａｔｉｏｎ）１１は、周辺基地局（Ｎｅｉｇｈｂｏｒ  Ｂａｓｅ  Ｓｔａｔｉｏｎ）１２，１３の信号を測定し、その結果をサービス提供基地局１４に転送する。このとき、移動端末は、サービス提供基地局の要請がある場合に限って上記測定情報を当該サービス提供基地局に転送する。
【０００３】
すなわち、サービス提供基地局が周辺基地局と移動端末間の下りリングチャネル状態をわかるためには、移動端末に周辺基地局に関する情報の転送を要請しなければならなかった。そして、移動端末はそれに相応するメッセージを用いて周辺基地局に関する情報を転送した。したがって、移動端末から周辺基地局に関する情報を転送する方法が提供されないという問題点かあった。
【０００４】
例えば、移動端末は、基地局の命令に応じて測定レポートを転送するが、全ての移動端末が周辺基地局のフレーム情報を収集する状況では、基地局の要請に応じてフレーム情報を提供できる。しかしながら、ハンドオーバーやスキャニングのようなイベントが起きた移動端末から、周辺基地局のフレーム情報を収集する基地局の場合には、最新情報を収集した移動端末を探索して要請する状況が発生してしまう。また、移動端末がどのメッセージを用いて基地局情報をサービス提供基地局に転送するのかが定められなかったという問題があった。
【発明の開示】
【発明が解決しようとする課題】
【０００５】
本発明は上記の問題点を解決するためのもので、その目的は、広帯域無線接続システム（Ｂｒｏａｄｂａｎｄ  Ｗｉｒｅｌｅｓｓ  Ａｃｃｅｓｓ  Ｓｙｓｔｅｍ）において、移動端末が、獲得した周辺基地局に関する情報を効率的にサービス提供基地局に転送する方法を提供することにある。
【課題を解決するための手段】
【０００６】
上記目的を達成するために、本発明は、移動端末が、サービス提供基地局から転送されてきた情報に基づいて周辺基地局に対するスキャニング（Ｓｃａｎｎｉｎｇ）及び同期化（Ｓｙｎｃｈｒｏｎｉｚａｔｉｏｎ）を行い、該スキャニング及び同期化過程によって周辺基地局に関する情報を獲得し、前記サービス提供基地局からの要請が無くても、前記獲得した情報を前記サービス提供基地局に転送する。
【０００７】
前記周辺基地局に関する情報は、各周辺基地局に相応する受信信号の強度（ＣＩＮＲ）及びフレーム情報を含む。前記受信信号の強度をサービス提供基地局に転送する際には、ハンドオーバー要請メッセージの他、前記受信信号強度を含む基地局情報を転送するための専用のメッセージを使用することができる。前記専用のメッセージは、媒体接続制御（ＭＡＣ：Ｍｅｄｉｕｍ  Ａｃｃｅｓｓ  Ｍｅｓｓａｇｅ）であることが好ましい。
【０００８】
前記サービス提供基地局の要請がない場合に、前記獲得した情報を前記サービス提供基地局に転送する際には、それを周期的に転送しても良く、特定イベントが発生する度に転送しても良い。前記特定イベントの一例に、ハンドオーバー要請メッセージ転送がある。
【発明の効果】
【０００９】
本発明は、広帯域無線接続システム（Ｂｒｏａｄｂａｎｄ  Ｗｉｒｅｌｅｓｓ  Ａｃｃｅｓｓ  Ｓｙｓｔｅｍ）に適用可能な技術で、移動端末が獲得した周辺基地局信号強度及びフレーム情報を効率的にサービス提供基地局に転送することができる。
【発明を実施するための最良の形態】
【００１０】
図２は、移動端末の周辺基地局情報報告方法を示す流れ図である。図２に示すように、サービス提供基地局は、周辺基地局に関する情報を放送形態として領域内の移動端末に転送する（Ｓ２１１）。移動端末は、周辺基地局スキャン及び同期化を行い（Ｓ２１２，２１３）、その過程で、周本基地局の信号強度及びフレーム情報を得る（Ｓ２１４）。そして、サービス提供基地局から周辺基地局情報要請がある場合には（Ｓ２１５）、周辺基地局情報をサービス提供基地局に転送する（Ｓ２１６）。
【００１１】
移動端末は、自分の位置した所で信号の大きさが最も大きい基地局との連結のために、サービス提供基地局の指示によって、周辺基地局の信号強度を測定する。このように、周辺基地局の信号を測定しながら、一定基準以上を満足する基地局を発見すると、サービス提供基地局にその測定情報を提供する。
【００１２】
図３は、移動端末の周辺基地局情報報告方法の一実施例を示す流れ図である。図３に示すように、サービス提供基地局は、周辺基地局に関する情報を放送形態として領域内の移動端末に転送する（Ｓ３１１）。
【００１３】
移動端末は、周辺基地局スキャン及び同期化を行い（Ｓ３１２，Ｓ３１３）、その過程で、周辺基地局の信号強度（ＣＮＩＲ：Ｃａｒｒｉｅｒ  ｔｏ  Ｉｎｔｅｒｆｅｒｅｎｃｅ  Ｎｏｉｓｅ  Ｒａｔｉｏ）及びフレーム情報を得る（Ｓ３１４）。移動端末は、上記測定によって獲得した周辺基地局の情報を保存する。そして、当該測定結果を、サービス提供基地局の要請にかかわらずにサービス提供基地局に報告する。特に、サービス提供基地局にハンドオーバー要請メッセージを転送する場合には（Ｓ３１５）、ハンドオーバー要請メッセージ転送を前後にして、当該測定結果をサービス提供基地局に転送することができる（Ｓ３１６）。
【００１４】
下記の表１に、周辺基地局情報提供メッセージの一例を示す。
【００１５】
【表１】
0004896012.tif 000002
図４は、移動端末の周辺基地局情報報告方法の他の実施例を示す流れ図である。移動端末の電源が入ると、サービス提供基地局から周辺基地局情報を受信し（Ｓ４１１）、サービス提供基地局から、周辺基地局をスキャンできる期間に対する情報を受信する（Ｓ４１２）。
【００１６】
移動端末は、スキャン期間の間に周辺基地局（Ｔａｒｇｅｔ  ＢＳ）と同期を合わせ（Ｓ４１３）、信号強度及びフレーム情報を獲得する（Ｓ４１４）。移動端末は、測定した信号強度に基づいてハンドオーバーの必要性があると判断される場合、サービス提供基地局にハンドオーバーを要請する（Ｓ４１５）。
【００１７】
移動端末は、周辺基地局と同期を合わせながら得る周辺基地局の情報を、ハンドオーバー要請を前後にしてサービス提供基地局に転送する（Ｓ４１６）。該周辺基地局情報は、媒体接続制御管理メッセージ（ＭＡＣ  Ｍａｎｇｅｍｅｎｔ  ｍｅｓｓａｇｅ）を通じて伝達されることができる。
【００１８】
サービス提供基地局は、移動端末の要請に応じてサービス提供維持のためのサービス品質（Ｑｕａｌｉｔｙ  ｏｆ  Ｓｅｒｖｉｃｅ；以下、‘ＱｏＳ’という。）パラメータを周辺基地局に転送する（Ｓ４１７）。周辺基地局は、サービス提供基地局にＱｏＳ提供可否を知らせる（Ｓ４１８）。
【００１９】
サービス提供基地局は、周辺基地局からの応答に基づいて、移動端末にハンドオーバーを行うハンドオーバー目的基地局（Ｔａｒｇｅｔ  ＢＳ）を推奨する（Ｓ４１９）。ハンドオーバー目的基地局推奨情報を受信した移動端末は、ハンドオーバーのためにサービス提供基地局にサービス解除を要請する（Ｓ４２０）。ハンドオーバー目的基地局は、ハンドオーバーした移動端末にアップリンク情報を提供し（Ｓ４２０）、ハンドオーバー目的基地局は、ハンドオーバーした移動端末にアップリンク情報を提供し（Ｓ４２１）、ネットワーク再登録過程を行う。
【００２０】
広帯域無線接続システムにおいて、サービス提供基地局は、セル内の移動端末に放送メッセージ（Ｂｒｏａｄｃａｓｔｉｎｇ  Ｍｅｓｓａｇｅ）を通じて、周辺基地局に対する情報を転送する周期を知らせる。このとき、周辺基地局の信号強度を測定した移動端末は、ハンドオーバーを要請するメッセージ通じて、サービス提供基地局に周辺基地局情報を転送することができる。
【００２１】
図５は、従来技術による周辺基地局信号強度転送方法を示す流れ図である。図５に示すように、サービス提供基地局は、移動端末に、周辺基地局の信号強度を転送する周期に関する情報を転送する（Ｓ５１１）。移動端末は、周辺基地局に対してスキャン及び同期化過程を行う（Ｓ５１２，Ｓ５１３）。このスキャン及び同期化過程で、移動端末は、周辺基地局に対する信号強度を測定する（Ｓ５１４）。そして、移動端末は、サービス提供基地局から転送されてきた周期に、ハンドオーバー要請メッセージを用いて周辺基地局に対する信号強度情報をサービス提供基地局に転送する（Ｓ５１５，Ｓ５１６）。
【００２２】
上記の方法では、移動端末が周辺基地局の信号強度を測定して周期的にサービス提供基地局に転送するが、このとき、ハンドオーバー要請メッセージを通じて転送することになる。このように、ハンドオーバー要請メッセージを、周期的に周辺基地局の信号強度を報告するのに使用すると、移動端末がハンドオーバーを要請する時と区別されず、基地局がハンドオーバー要請メッセージに続けて応答しなければならない。
【００２３】
図６は、周辺基地局信号強度転送方法の一実施例を示す流れ図である。図６に示すように、サービス提供基地局は、移動端末に、周辺基地局の信号強度を転送する周期に関する情報を転送する（Ｓ６１１）。移動端末は、周辺基地局に対してスキャン及び同期化過程を行う（Ｓ６１２，Ｓ６１３）。このスキャン及び同期化過程で、移動端末は、周辺基地局に対する信号強度を測定する（Ｓ６１４）。そして、移動端末は、サービス提供基地局から転送されてきた周期に、報告メッセージを用いて周辺基地局に対する信号強度情報をサービス提供基地局に転送する（Ｓ６１５，Ｓ６１６）。
【００２４】
ここで、報告メッセージは、周辺基地局の信号強度を周期的にサービス提供基地局に転送するための媒体接続制御管理メッセージで、周辺基地局の信号情報を伝達するための専用メッセージである。下記の表２に、周辺基地局の信号強度を転送するための専用メッセージの一例を示す。
【００２５】
【表２】
0004896012.tif 000003
図７は、本発明による周辺基地局信号強度転送方法の他の実施例を示す流れ図である。
【００２６】
図７に示すように、サービス提供基地局は、移動端末に、周辺基地局の信号強度を転送する周期に関する情報を転送する（Ｓ７１１）。そして、移動端末は、周辺基地局に対してスキャン及び同期化過程を行う（Ｓ７１２，Ｓ７１３）。このスキャン及び同期化過程で、移動端末は、周辺基地局に対する信号強度を測定する（Ｓ７１４）。そして、ハンドオーバー要請メッセージのような特別なイベントが発生する場合に（Ｓ７１５）、移動端末は、周辺基地局に対する信号強度情報を、周辺基地局に提供する（Ｓ７１６）。
【図面の簡単な説明】
【００２７】
【図１】移動端末の周辺基地局に関する情報をサービス提供基地局に転送する方法の一実施例を示す説明図である。
【図２】移動端末の周辺基地局情報報告方法を示す流れ図である。
【図３】移動端末の周辺基地局情報報告方法の一実施例を示す流れ図である。
【図４】移動端末の周辺基地局情報報告方法の他の実施例を示す流れ図である。
【図５】従来技術による周辺基地局信号強度転送方法を示す流れ図である。
【図６】本発明による周辺基地局信号強度転送方法の一実施例を示す流れ図である。
【図７】本発明による周辺基地局信号強度転送方法の他の実施例を示す流れ図である。
【図１】
0004896012.tif 000004
【図２】
0004896012.tif 000005
【図３】
0004896012.tif 000006
【図４】
0004896012.tif 000007
【図５】
0004896012.tif 000008
【図６】
0004896012.tif 000009
【図７】
0004896012.tif 000010